【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
所定の符号化方法によって出力された符号化画像データをブロック単位で復号化する復号化装置であって、
前記所定の符号化方法は、
ピクチャを構成するブロックをフレーム符号化する場合には、前記ブロックが参照する参照フレームの画素値とフレーム重み係数とを用いて予測画像を生成し、前記ブロックをフィールド符号化する場合には、前記ブロックが参照する参照フィールドの画素値とフィールド重み係数とを用いて予測画像を生成するステップと、
前記ピクチャがフレームで構成され、かつ、前記ピクチャを構成するブロック毎にフレーム符号化するかフィールド符号化するかを適応的に切り替える場合には、前記フレーム重み係数を符号化し、前記予測画像を用いて符号化されたピクチャと前記符号化されたフレーム重み係数とを含む符号化画像データを出力するステップと、
を備え、
前記フィールド重み係数は、前記ピクチャがフレームで構成され、かつ、前記ピク
チャを構成するブロック毎にフレーム符号化するかフィールド符号化するかを適応的に切り替える場合には、前記フレーム重み係数から生成され、
前記復号化装置は、
前記ピクチャがフレームで構成され、かつ、前記ピクチャを構成するブロックをフレーム復号化するかフィールド復号化するかを適応的に切り替えるように前記ピクチャが符号化されている場合には、前記符号化画像データに含まれる符号化されたフレーム重み係数を復号化し、前記復号化されたフレーム重み係数からフィールド重み係数を生成する、可変長復号化部と、
前記ピクチャを構成するブロックがフレーム符号化されている場合には、前記ブロックが参照する参照フレームの画素値と前記復号化されたフレーム重み係数とを用いて予測画像を生成し、前記ブロックがフィールド符号化されている場合には、前記ブロックが参照する参照フィールドの画素値と前記生成されたフィールド重み係数とを用いて予測画像を生成する、動き補償部と、
前記生成された予測画像を用いて、前記符号化ピクチャを復号する加算部と、
を備えることを特徴とする復号化装置。
【請求項２】
所定の符号化方法によって出力された符号化画像データをブロック単位で復号化する復号化方法であって、
前記所定の符号化方法は、
ピクチャを構成するブロックをフレーム符号化する場合には、前記ブロックが参照する参照フレームの画素値とフレーム重み係数とを用いて予測画像を生成し、前記ブロックをフィールド符号化する場合には、前記ブロックが参照する参照フィールドの画素値とフィールド重み係数とを用いて予測画像を生成するステップと、
前記ピクチャがフレームで構成され、かつ、前記ピクチャを構成するブロック毎にフレーム符号化するかフィールド符号化するかを適応的に切り替える場合には、前記フレーム重み係数を符号化し、前記予測画像を用いて符号化されたピクチャと前記符号化されたフレーム重み係数とを含む符号化画像データを出力するステップと、
を備え、
前記フィールド重み係数は、前記ピクチャがフレームで構成され、かつ、前記ピクチャを構成するブロック毎にフレーム符号化するかフィールド符号化するかを適応的に切り替える場合には、前記フレーム重み係数から生成され、
前記復号化方法は、
前記ピクチャがフレームで構成され、かつ、前記ピクチャを構成するブロックをフレーム復号化するかフィールド復号化するかを適応的に切り替えるように前記ピクチャが符号化されている場合には、前記符号化画像データに含まれる符号化されたフレーム重み係数を復号化し、前記復号化されたフレーム重み係数からフィールド重み係数を生成するステップと、
前記ピクチャを構成するブロックがフレーム符号化されている場合には、前記ブロックが参照する参照フレームの画素値と前記復号化されたフレーム重み係数とを用いて予測画像を生成し、前記ブロックがフィールド符号化されている場合には、前記ブロックが参照する参照フィールドの画素値と前記生成されたフィールド重み係数とを用いて予測画像を生成するステップと、
前記生成された予測画像を用いて、前記符号化ピクチャを復号するステップと、
を備えることを特徴とする復号化方法。
【請求項３】
所定の符号化方法によって出力された符号化画像データをブロック単位で復号化する集積回路であって、
前記所定の符号化方法は、
ピクチャを構成するブロックをフレーム符号化する場合には、前記ブロックが参照する参照フレームの画素値とフレーム重み係数とを用いて予測画像を生成し、前記ブロックをフィールド符号化する場合には、前記ブロックが参照する参照フィールドの画素値とフィールド重み係数とを用いて予測画像を生成するステップと、
前記ピクチャがフレームで構成され、かつ、前記ピクチャを構成するブロック毎にフレーム符号化するかフィールド符号化するかを適応的に切り替える場合には、前記フレーム重み係数を符号化し、前記予測画像を用いて符号化されたピクチャと前記符号化されたフレーム重み係数とを含む符号化画像データを出力するステップと、
を備え、
前記フィールド重み係数は、前記ピクチャがフレームで構成され、かつ、前記ピクチャを構成するブロック毎にフレーム符号化するかフィールド符号化するかを適応的に切り替える場合には、前記フレーム重み係数から生成され、
前記集積回路は、
前記ピクチャがフレームで構成され、かつ、前記ピクチャを構成するブロックをフレーム復号化するかフィールド復号化するかを適応的に切り替えるように前記ピクチャが符号化されている場合には、前記符号化画像データに含まれる符号化されたフレーム重み係数を復号化し、前記復号化されたフレーム重み係数からフィールド重み係数を生成する、可変長復号化部と、
前記ピクチャを構成するブロックがフレーム符号化されている場合には、前記ブロックが参照する参照フレームの画素値と前記復号化されたフレーム重み係数とを用いて予測画像を生成し、前記ブロックがフィールド符号化されている場合には、前記ブロックが参照する参照フィールドの画素値と前記生成されたフィールド重み係数とを用いて予測画像を生成する、動き補償部と、
前記生成された予測画像を用いて、前記符号化ピクチャを復号する加算部と、
を備えることを特徴とする集積回路。
【請求項４】
所定の符号化方法によって出力された符号化画像データ信号であって、
前記所定の符号化方法は、
ピクチャを構成するブロックをフレーム符号化する場合には、前記ブロックが参照する参照フレームの画素値とフレーム重み係数とを用いて予測画像を生成し、前記ブロックをフィールド符号化する場合には、前記ブロックが参照する参照フィールドの画素値とフィールド重み係数とを用いて予測画像を生成するステップと、
前記ピクチャがフレームで構成され、かつ、前記ピクチャを構成するブロック毎にフレーム符号化するかフィールド符号化するかを適応的に切り替える場合には、前記フレーム重み係数を符号化し、前記予測画像を用いて符号化されたピクチャと前記符号化されたフレーム重み係数とを含む符号化画像データを出力するステップと、
を備え、
前記フィールド重み係数は、前記ピクチャがフレームで構成され、かつ、前記ピクチャを構成するブロック毎にフレーム符号化するかフィールド符号化するかを適応的に切り替える場合には、前記フレーム重み係数から生成される、
をことを特徴とする符号化画像データ信号。